(57)【特許請求の範囲】
【請求項１】
主走査方向に多数の有機発光素子を並べてなる有機発光素子アレイを、複数の色分だけ副走査方向に並べて構成された発光ヘッドを備え、この発光ヘッドに対して感光材料を副走査方向に相対的に移動させながら、デジタル化された１ラインごとの画像データに基づいて、前記感光材料の感光面を前記複数の色で露光するプリンタ装置において、
前記発光ヘッドと前記感光材料との相対速度を検出する速度検出手段と、この速度検出手段によって検出された相対速度に応じて前記発光ヘッドの発光タイミングを制御する制御手段とを備え、前記制御手段は、画像データに応じて決まる前記発光ヘッドの発光時間を、一定数に分割して、前記相対速度に応じて決まる１プリントサイクルに均等に分散させることを特徴とするプリンタ装置。
【請求項２】
前記速度検出手段は、前記感光材料上に副走査方向に沿って一定ピッチでマークが配置されてなる速度検出用トラックに対して赤外線を投光する投光器と、この反射光を受光する受光器と、この受光器の検出信号に基づいて前記相対速度を求める信号処理回路とからなることを特徴とする請求項１記載のプリンタ装置。
【請求項３】
前記発光ヘッドは、発光スペクトルのピーク波長が３８０〜５００ｎｍ、５００〜６００ｎｍ、及び６００〜７４０ｎｍの少なくとも３種類の有機発光素子アレイを備えていることを特徴とする請求項１又は２に記載のプリンタ装置。
【請求項４】
前記３種類の有機発光素子アレイは、それぞれの発光スペクトルのピーク波長が互いに少なくとも５０ｎｍ離れていることを特徴とする請求項３記載のプリンタ装置。
【請求項５】
ピーク波長が５００〜６００ｎｍである前記有機発光素子アレイは、発光スペクトルの半値幅が８０ｎｍ以下であることを特徴とする請求項３又は４に記載のプリンタ装置。
【請求項６】
被写体画像を撮像して撮像信号を出力するイメージセンサと、前記撮像信号をデジタル変換した画像データを記憶するメモリとを備えた電子スチルカメラに内蔵され、前記メモリから読み出された画像データに基づいて、前記感光材料に被写体画像を露光することを特徴とする請求項１ないし５のいずれかに記載のプリンタ装置。
【請求項７】
前記感光材料として、感光面に展開される現像液を内包した現像液ポッドを有するインスタントフイルムを使用し、展開ローラによって、前記現像液ポッドの現像液を前記感光面に展開させて現像転写を行うことを特徴とする請求項１ないし６のいずれかに記載のプリンタ装置。
【発明の詳細な説明】
【０００１】
【発明の属する技術分野】
本発明は、デジタル化された画像データに基づいて被写体画像のハードコピーを得るプリンタ装置に関するものである。
【０００２】
【従来の技術】
ＣＣＤイメージセンサなどにより光学的な被写体画像を電気的な撮像信号に変換し、さらにデジタル変換して得られた画像データをメモリに保存するようにした携帯型の電子スチルカメラが普及している。メモリに記憶した画像データは、適宜に読み出され、カメラボディに組み込まれた液晶（ＬＣＤ）表示パネルのほか、ＣＲＴモニタやパーソナルコンピュータなどの外部機器を利用して被写界画像を再生することができる。
【０００３】
また、画像データの記憶に用いられている内蔵型のメモリには、一般にフラッシュメモリと称される高速アクセスが可能なＤＲＡＭが用いられ、画像データの消去，書き換えが可能である。したがって、不要になった画像データの消去や新たな画像データへの更新なども簡便に行うことができ、電子スチルカメラは記憶媒体を繰り返し使用することができるという写真カメラにはない特長を有している。また、画像データの記憶には、前記フラッシュメモリあるいはハードディスクなどの内蔵型のメモリだけでなく、着脱式のメモリカードやフレキシブル磁気シートなどの利用も可能である。
【０００４】
一方、ビデオプリンタを利用することによって、フラッシュメモリ等に記憶した画像データに基づいて被写体画像のハードコピーを得ることも可能となっている。ビデオプリンタには、レーザプリンタ、感熱転写プリンタ、インクジェットプリンタなどがある。従来から用いられているこれらのビデオプリンタはいずれも据え置き型のもので、ハードコピーを作成する際には、電子スチルカメラのフラッシュメモリから読み出した画像データをこれらのプリンタに転送し、あるいはメモリカードや磁気シートなどの記憶媒体から画像データをプリンタに転送してプリントを行っている。
【０００５】
【発明が解決しようとする課題】
電子スチルカメラは数十コマ程度の画像データを繰り返し使用可能なメモリに保存しておくことができ、画像データを適宜に読み出して簡便に画像を再生することはできるものの、プリンタが据え置き型のものであるため、出先で撮像したときにその場でハードコピーが得にくいという難点がある。これは、従来のプリンタが熱エネルギーを多大に消費するため大電力の電源を必要とすることや、プリンタそのものの構造上、簡便に携帯できる程度にまで小型化できないことが理由である。
【０００６】
本発明は上記事情を考慮してなされたもので、小型化が可能で、かつ、濃度むら及び色むらの発生を抑えることが可能なプリンタ装置を提供することを目的とする。
【０００７】
【課題を解決するための手段】
上記目的を達成するために、本発明のプリンタ装置は、主走査方向に多数の有機発光素子を並べてなる有機発光素子アレイを、複数の色分だけ副走査方向に並べて構成された発光ヘッドを備え、この発光ヘッドに対して感光材料を副走査方向に相対的に移動させながら、デジタル化された１ラインごとの画像データに基づいて、前記感光材料の感光面を前記複数の色で露光するプリンタ装置であって、前記発光ヘッドと前記感光材料との相対速度を検出する速度検出手段と、この速度検出手段によって検出された相対速度に応じて前記発光ヘッドの発光タイミングを制御する制御手段とを備え、前記制御手段は、画像データに応じて決まる前記発光ヘッドの発光時間を、一定数に分割して、前記相対速度に応じて決まる１プリントサイクルに均等に分散させるものである。なお、前記速度検出手段は、前記感光材料上に副走査方向に沿って一定ピッチでマークが配置されてなる速度検出用トラックに対して赤外線を投光する投光器と、この反射光を受光する受光器と、この受光器の検出信号に基づいて前記相対速度を求める信号処理回路とからなることが好ましい。
【０００８】
また、発光ヘッドは、発光スペクトルのピーク波長が３８０〜５００ｎｍ、５００〜６００ｎｍ、及び６００〜７４０ｎｍの少なくとも３種類の有機発光素子アレイを備える構成にする。この場合、３種類の有機発光素子アレイは、それぞれの発光スペクトルのピーク波長が互いに少なくとも５０ｎｍ離れるようにするのが好ましい。また、ピーク波長が５００〜６００ｎｍの有機発光素子アレイは、発光スペクトルの半値幅を８０ｎｍ以下にすることが望ましい。
【０００９】
また、本発明のプリンタ装置を、被写体画像を撮像して撮像信号を出力するイメージセンサと、撮像信号をデジタル変換した画像データを記憶するメモリとを備えた電子スチルカメラに内蔵し、メモリから読み出された画像データに基づいて、前記感光材料に被写体画像を露光することが好ましい。
【００１０】
また、前記感光材料として、感光面に展開される現像液を内包した現像液ポッドを有するインスタントフイルムを使用し、展開ローラによって、前記現像液ポッドの現像液を前記感光面に展開させて現像転写を行うことが好ましい。
【００１１】
【発明の実施の形態】
図２は、本発明のプリンタ装置を内蔵した電子スチルカメラの正面側の外観を示す斜視図である。電子スチルカメラ１０は薄型箱状に形成されており、カメラボディ１１内に、撮像部とプリンタ部とが配置されている。そして、カメラボディ１１には電池室を兼ねたグリップ部１２が設けられている。グリップ部１２は正面から見て左側に配置されており、内部に電池１３（図４参照）が収納されている。
【００１２】
カメラボディ１１の正面中央部には撮影レンズ１４が設けられている。この撮影レンズ１４の背後には、ＣＣＤイメージセンサを含む撮像部１５（図１参照）が設けられている。また、撮影レンズ１４の近くにはＡＥ受光部１６が設けられている。このＡＥ受光部１６からの被写体輝度信号は図示しないＡＥ調節部に送られ、ここで、撮影に際して周知のように自動露光調節がされる。また、グリップ部１２の近くでその上部にはシャッタボタン１７が設けられている。シャッタボタン１７を押すと撮影レンズ１４を通して一回の撮像が行われる。なお、必要に応じて、ストロボ発光部や、オートフォーカス装置、ズームレンズ等を設けてもよい。
【００１３】
図３に示すように、カメラボディ１１の裏面にはパック装填蓋２３が設けられている。パック装填蓋２３は、ボディ１１の下部にヒンジ部２４を介して開閉自在に取り付けられている。このパック装填蓋２３は通常は閉じ位置にロックされており、図１に示すように、フイルムパック２５を装填したり取り出したりするときに、スライドつまみ２６を操作することにより開放される。パック装填蓋２３の上方で右側にはカウンタ窓２７が設けられており、このカウンタ窓２７には、インスタントフイルム２８の使用枚数が表示される。
【００１４】
パック装填蓋２３には、液晶表示パネル（ＬＣＤパネル）２１と操作パネル２２とが配置されている。ＬＣＤパネル２１は、撮影レンズ１４を通して撮像される被写体画像をリアルタイムで表示し、いわゆる電子ビューファインダーを構成している。操作パネル２２には、撮像／再生のモード切替えキー，コマ選択キー，プリントスタートキー，画像データの消去ボタン，外部機器との間で画像データの入出力を行うための切替えキーなどが設けられている。
【００１５】
フイルムパック２５は、プラスチック製ケース２９と、これに積層して収納される例えば１０枚のモノシートタイプのインスタントフイルム２８とから構成されており、図示しないバネ板により最上層のインスタントフイルム２８がケース２９の露光開口２９ａに位置するように付勢されている。
【００１６】
インスタントフイルム２８は、本出願人などにより商品化されてすでに広く普及しており、感光シート、受像シート、及び現像処理液を内包したポッド、余剰の現像液を吸収するトラップ部を基本的な構成要素としている。そして、感光シートに露光を与えることによって光化学的に潜像を形成した後、この感光シートと受像シートとを重ね合わせ、その両者間に現像処理液を展開しながら両シートを加圧することによって受像シートにポジ画像が転写される。
【００１７】
カメラボディ１１内には、フイルムパック２５の露光開口２９ａに位置したインスタントフイルム２８にフルカラー画像を記録するプリンタ部３０が配置されている。プリンタ部３０は、マルチ発光ヘッド３１と、フイルム送り出し部３２とから構成されており、フイルム送り出し部３２によるインスタントフイルム２８の送り出しに同期させてマルチ発光ヘッド３１を駆動することにより、１回のスキャニングでフルカラー画像がインスタントフイルム２８に記録される。
【００１８】
更に、このフイルム送りで、展開ローラ３３により現像液ポッド２８ａ内の現像液が展開され、現像転写される。この現像転写済みのインスタントフイルム２８は、カメラボディ１１の上面に配置されたスリット状の排出口３５から排出される。展開ローラ３３による現像処理液の展開が行われると、その１分〜数分程度の間にインスタントフイルム２８上にポジ画像が得られる。
【００１９】
図４に示すように、フイルム送り出し部３２は、１対の展開ローラ３３とその駆動機構３４とから構成されている。展開ローラ３３及びその駆動機構３４は、例えば特開平４−１９４８３２号公報などに記載されたように、従来のインスタントカメラに用いられているものと同じでよく、その機能も全く同一である。すなわち、これらは展開モータ３６の駆動によりフイルムパック２５の中から露光済みのインスタントフイルム２８を送り出し、また送り出しながら現像処理液の展開を行うために用いられる。
【００２０】
周知のように、駆動機構３４はクロー爪及びその移動機構を含む。クロー爪は、展開モータ３６の駆動により作動して露光済みのインスタントフイルム２８の下端を上方に押し出し、インスタントフイルム２８の上端を一対の展開ローラ３３の間に送り込む。この時点で展開ローラ３３は回転しているから、以後は展開ローラ３３によってインスタントフイルム２８が上方へと搬送される。
【００２１】
展開ローラ３３は２本１組で構成され、これらを対向して配置したものであり、図示しないコイルバネの付勢によりインスタントフイルム２８を挟んだ状態で回転し、インスタントフイルム２８を排出口へ送り出す。インスタントフイルム２８の上端部分には周知のように現像処理液を内包したポッド２８ａが設けられているので、この部分が展開ローラ３３を通過することで、ポッド２８ａが破れて、現像処理液が感光シートと受像シートとの間に展開される。
【００２２】
図５に示すように、マルチ発光ヘッド３１は、その長手方向（矢印Ｍで示す主走査方向）がインスタントフイルム２８の搬送方向（矢印Ｓで示す副走査方向）に対して直交するように、フイルムパック２５の露光開口２９ａの上端近くに配置されている。なお、図５中の符号２９ｂは、露光済みのインスタントフイルム２８をフイルムパック２５の外に送り出すときに前記クロー爪が入り込む切り欠きを示す。
【００２３】
図６に、マルチ発光ヘッド３１の断面を示す。マルチ発光ヘッド３１は、ケース４０内に有機発光素子アレイユニット４１と微小レンズアレイ（セルフォックレンズ群、あるいは微小レンズ群などで形成される）４２とを配置して構成される。有機発光素子アレイユニット４１は、発光スペクトルのピーク波長が６００〜７４０ｎｍである赤色（Ｒ）領域有機発光素子アレイ４３と、発光スペクトルのピーク波長が５００〜６００ｎｍである緑色（Ｇ）領域有機発光素子アレイ４４と、発光スペクトルのピーク波長が３８０〜５００ｎｍである青色（Ｂ）領域有機発光素子アレイ４５とから構成されている。有機発光素子アレイ４３〜４５は、インスタントフイルム２８の幅方向（主走査方向）に長く構成され、インスタントフイルム２８の送り方向（副走査方向）に並べて設けられている。
【００２４】
図７に示すように、有機発光素子アレイ４３〜４５は、それぞれ微小な有機発光素子４３ａ，４４ａ，４５ａを主走査方向に一列に整列させて構成されている。そして、有機発光素子４３ａ，４４ａ，４５ａは、個々がプリントを行うときの１画素に対応しており、記録する画素に応じてその発光輝度及び発光時間が制御される。
【００２５】
微小レンズアレイ４２は、画素ごとのプリント光が他の画素位置まで広がることを防止する。また、微小レンズアレイ４２は、Ｒ，Ｇ，Ｂの各光をインスタントフイルム２８の感光面上に１ラインで合焦させるように、中央部のＧ光用セルフォックレンズ４２ｂに対して、両側のＲ光用及びＢ光用のセルフォックレンズ４２ａ，４２ｃを傾斜して配置してある。
【００２６】
なお、有機発光素子の指向性が高い場合には、微小レンズアレイ４２を除去することもできる。また、有機発光素子アレイ４３〜４５から微小レンズアレイ４２までの光路中に、必要に応じてバンドパスフィルターを設けてもよい。バンドパスフィルターは、有機発光素子の発光スペクトルの半値幅を小さくして、インスタントフイルム２８への露光時の分光混色を低減させ、得られる画像の色再現性を高めるのに有効である。
【００２７】
本発明では、３種類の有機発光素子アレイ４３〜４５に対応させて、少なくとも３種類の有機発光素子（有機ＥＬ素子という場合もある）を用いる。３種類の有機発光素子は、発光スペクトルのピーク波長が６００ｎｍ〜７４０ｎｍ（便宜上、Ｒ光領域と称す）、５００ｎｍ〜６００ｎｍ（Ｇ光領域）、及び３８０ｎｍ〜５００ｎｍ（Ｂ光領域）であり、６１０ｎｍ〜７２０ｎｍ、５１０ｎｍ〜５９０ｎｍ、及び４００ｎｍ〜４９０ｎｍとするのがより好ましい。また、上記３種類の有機発光素子は、それぞれの発光スペクトルのピーク波長が、互いに少なくとも５０ｎｍ離れていることが色分離上望ましい。
【００２８】
また、スペクトルの半値幅は、中央領域であるピーク波長５００ｎｍ〜６００ｎｍの素子では重要で、８０ｎｍ以下とするのが好ましい。ピーク波長が３８０ｎｍ〜５００ｎｍ、６００ｎｍ〜７４０ｎｍの各素子についてはこの限りではなく、ピーク波長が、例えば４１０ｎｍであれば半値幅は１５０ｎｍでも使用できるし、また、例えば６８０ｎｍであれば半値幅は１５０ｎｍでも使用できる。
【００２９】
本発明の有機発光素子に使用する陽極材料としては、透明基板上に酸化錫、酸化錫インジウム（ＩＴＯ）、酸化亜鉛インジウムなどの透明電極（陽極）を設け、その上に発光層を含む少なくとも１層の有機化合物層（膜厚は有機化合物層トータルで１０ｎｍ〜１μｍであることが望ましい）を設置し、さらにこの上に、Ｍｇ−Ａｇ、Ａｌ、Ｌｉ−Ａｌ、Ｃａなどの陰極を設置した構成のものがよい。また、基板（この場合は、透明である必要はない）上に上記陰極をまず設け、その上に発光層を含む少なくとも１層の有機化合物層を設置し、さらにこの上に上記透明電極を設置した構成のものでもよい。後者の場合、一般の電気回路基板に用いられているガラスファイバーやセラミックス入りのコンポジット材を使用してもよい。
【００３０】
有機化合物を含む素子の具体的な構成としては、陽極／ホール輸送層／発光層／陰極、陽極／発光層／電子輸送層／陰極、陽極／ホール輸送層／発光層／電子輸送層／陰極、陽極／発光層／陰極などが挙げられる（逆の構成でもよい）。また、発光層、ホール輸送層、電子輸送層を複数層設けたり、ホール注入層や電子注入層を設けてもよい。図８に、有機発光素子の一般的な層構成例を示す。
【００３１】
なお、有機発光素子として使用する陽極材料の構成としては、上記の構成に加えて、陽極とホール輸送層（ホール輸送層を設けないときは発光層）との間に、陽極に接するように導電性高分子層を設置してもよい。この層を設置することにより、駆動電圧がほとんど上昇することなく、有機化合物層の膜厚を大きくすることができ、輝度ムラやショートが改善される。
【００３２】
導電性高分子としては、ＷＯ−９８／０５１８７等に記載のポリアニリン誘導体、ポリチオフェン誘導体、及びポリピロール誘導体が好ましい。これらの誘導体は、プロトン酸（例えば、樟脳スルホン酸、ｐ−トルエンスルホン酸、スチレンスルホン酸、ポリスチレンスルホン酸等）と混合した状態で使用することができる。また、これらの誘導体は、必要に応じて他の高分子（例えば、ポリメチルメタクリレート（ＰＭＭＡ）や、ポリ−Ｎ−ビニルカルバゾール（ＰＶＣｚ）等）と混合して使用することもできる。なお、導電性高分子層の表面抵抗は１００００Ω／□以下が望ましい。また、導電性高分子層の膜厚は１０ｎｍ〜１０００ｎｍが好ましく、特に２０ｎｍ〜２００ｎｍが望ましい。
【００３３】
本発明の有機発光素子に使用できる発光層としては、電子輸送性発光層であっても、ホール輸送性発光層であってもよい。発光層は、少なくとも一種の発光材料を含有する。
【００３４】
発光材料としては、励起されて蛍光を発することのできるものであればよく、特に限定するものではない。例えば、オキシノイド化合物、ペリレン化合物、クマリン化合物、アザクマリン化合物、オキサゾール化合物、オキサジアゾール化合物、ペリノン化合物、ピロロピロール化合物、ナフタレン化合物、アントラセン化合物、フルオレン化合物、フルオランテン化合物、テトラセン化合物、ピレン化合物、コロネン化合物、キノロン化合物及びアザキノロン化合物、ピラゾリン誘導体及びピラゾロン誘導体、ローダミン化合物、クリセン化合物、フェナントレン化合物、シクロペンタジエン化合物、スチルベン化合物、ジフェニルキノン化合物、スチリル化合物、ジスチリルベンゼン化合物、ブタジエン化合物、ジシアノメチレンピラン化合物、ジシアノメチレンチオピラン化合物、フルオレセイン化合物、ピリリウム化合物、チアピリリウム化合物、セレナピリリウム化合物、テルロピリリウム化合物、芳香族アルダジエン化合物、オリゴフェニレン化合物、キサンテン化合物及びチオキサンテン化合物、シアニン化合物、アクリジン化合物、アクリドン化合物、キノリン化合物、８−ヒドロキシキノリン化合物の金属錯体、ベンゾキノリノールベリリウム錯体、２，２’−ビピリジン化合物の金属錯体、シッフ塩とＩＩＩ族金属との錯体、オキサジアゾール化合物の金属錯体、希土類錯体等が用いられる。
【００３５】
これらの発光材料は、単独で用いても、複数を併用してもよい。また、キャリア輸送性の高分子中に分子分散させるか、あるいは低分子キャリア輸送剤と発光材料をキャリア輸送性のない高分子中に分子分散させて使用してもよい。
【００３６】
また、高分子発光材料を用いることも好ましい。高分子発光材料としては、ポリ−ｐ−フェニレンビニレン誘導体、ポリフルオレン誘導体、ポリチオフェン誘導体等のπ共役系の他、低分子色素とテトラフェニルジアミンやトリフェニルアミンを主鎖や側鎖に導入したポリマー等が挙げられる。また、高分子発光材料と低分子発光材料とを混合して使用することもできる。
【００３７】
なお、電子輸送性の高分子とは、電子受容性基を側鎖あるいは主鎖中に有する高分子をいい、ホール輸送性の高分子とは、電子供与性基を側鎖あるいは主鎖中に有する高分子をいう。また、キャリア輸送性のない高分子とは、ポリメチルメタクリレートやポリメチルアクリレート、ポリスチレン、ポリカーボネートのような電気的に不活性な高分子をいう。さらに、キャリア輸送性のないときに使用する低分子キャリア輸送剤とは、電子輸送性（電子受容性）又はホール輸送性（電子供与性）の低分子材料をいう。
【００３８】
電子輸送性化合物としては、オキサジアゾール誘導体、トリアゾール誘導体、トリアジン誘導体、ニトロ置換フルオレノン誘導体、チオピランジオキサイド誘導体、ジフェニルキノン誘導体、ペリレンテトラカルボキシル誘導体、アントラキノジメタン誘導体、フレオレニリデンメタン誘導体、アントロン誘導体、ペリノン誘導体、オキシン誘導体、キノリン錯体誘導体等の化合物が挙げられる。
【００３９】
ホール輸送性化合物としては、ポリ−Ｎ−ビニルカルバゾールやポリフェニレンビニレン誘導体、ポリフェニレン、ポリチオフェン、ポリメチルフェニルシラン、ポリアニリンなどの高分子や、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、カルバゾール誘導体、スチリルアントラセン誘導体、フルオレノン誘導体、ヒドラゾン誘導体、スチルベン誘導体、フタロシアニン等のポリフィリン誘導体、芳香族第三級アミン化合物及びスチリルアミン化合物、ブタジエン化合物、ベンジジン誘導体、ポリスチレン誘導体、トリフェニルメタン誘導体、テトラフェニルベンジン誘導体、スターバーストポリアミン誘導体などを使用することができる。
【００４０】
ホール輸送層、電子輸送層、発光層、及び導電性高分子層などの有機化合物層は、真空蒸着法、スパッタ法、ディッピング法、スピンコーティング法、キャスチング法、バーコート法、ロールコート法等、公知の方法を用いて形成することができる。また、溶媒を使い分けることにより多層塗布も可能である。
【００４１】
電子輸送層の上には、前述の陰極を設ける。陰極は、電子輸送層上に０．０１〜１０ｎｍ程度の薄層からなる酸化アルミニウムやフッ化リチウムの層を挟んで設けるようにしてもよい。また、陰極の表面（有機化合物層と反対側）に、湿気や空気を遮断するための保護層を形成してもよい。この目的の保護層については、例えば特開平７−８５９７４号等に記載されている。さらに、陰極は、ガラスやポリ（クロロトリフルオロエチレン）シートを用いて封止することが望ましい。この中に乾燥剤や撥水性のフッ素系不活性液体等を挿入してもよい。
【００４２】
透明電極（陽極）や陰極などの無機物の層は、真空蒸着法、スパッタ法、イオンプレーティング法などの公知の方法で形成できる。
【００４３】
図９の（Ａ）〜（Ｃ）に、Ｒ光領域用，Ｇ光領域用，及びＢ光領域用の有機発光素子の構成例を示す。なお、図中（  ）内に示した数字は、各層の膜厚を表す（単位はｎｍ）。また、図中の化合物、▲１▼ＤＣＪ、▲２▼ＭＥＨ−ＰＰＶ、▲３▼Ａlq、▲４▼ＴＰＤ、▲５▼ＤＰＮＢｉは、以下のとおりである。
▲１▼  ＤＣＪ：
４−（ジシアノメチレン）−２−メチル−６−ユロリデイルビニレン
−４Ｈ−ピラン
▲２▼  ＭＥＨ−ＰＰＶ：
ポリ（２−メトキシ−５−２’−エチルヘキシロキシ）−１，４−フェニレンビニレン
▲３▼  Ａlq  ：  キノリノールアルミニウム錯体
▲４▼  ＴＰＤ：
Ｎ，Ｎ’−ジフェニル−Ｎ，Ｎ’−ビス（３−メチルフェニル）
（１，１’−ビフェニル）−４，４’−ジアミン
▲５▼  ＤＰＮＢｉ：
４，４’−ビス（２，２−ジフェニルビニル）ビフェニル
【００４４】
本発明では、上述のような構成の有機ＥＬ素子の他に、微小光共振器構造（マイクロキャビティ）を有する有機ＥＬ素子が、発光スペクトルの半値幅が小さく、かつ指向性に優れている点で好ましい。微小光共振器構造を有する有機ＥＬ素子については、例えば「月刊ディスプレイ '９８  １０月号別冊」の『有機ＥＬディスプレイ』（テクノタイムズ社発行）の第１０５頁に記載されている。ここでは、基板として透明基板を用い、この上に、誘電体ミラー、透明電極（陽極）、発光層を含む少なくとも１層の有機化合物層、及び金属ミラーの役割を有する背面電極（陰極）を順に設け、誘電体ミラーと背面電極との間で微小光共振器を形成している。誘電体ミラーは、通常１／４波長のＳｉＯ2 とＴｉＯ2 とを交互に積層したものである。透明電極（ＩＴＯなど）と誘電体ミラーとの間にＳｉＯ2 スペーサーを導入して膜厚を調整してもよい。
【００４５】
本発明では、透明基板として、通常のガラス基板の他にプラスチック基板を使用することができる。プラスチック基板としては、耐熱性、寸法安定性、耐溶剤性、電気絶縁性、加工性、低通気性、低吸湿性に優れていることが必要である。このような材料としては、ポリエチレンテレフタレート、ポリブチレンテレフタレート、ポリエチレンナフタレート、ポリスチレン、ポリカーボネート、ポリエーテルスルホン、ポリアリレート、アリルジグリコールカーボネート、ポリイミド等が挙げられる。これらの基板の表面、あるいは電極と反対面（裏面とする）には、透湿防止層（ガスバリア層）を設置するのが好ましい。透湿防止層としては、窒化珪素や酸化珪素などの無機物が好ましく、例えば高周波スパッタリング法などにより成膜できる。さらに、必要に応じて、ハードコート層やアンダーコート層を設けてもよい。
【００４６】
電極（特に透明電極）のパターニングは、フォトリソグラフィーなどによる化学的エッチングで行うこともできるし、レーザーなどを用いて物理的にエッチングすることもできる。また、マスクを重ねて真空蒸着やスパッタなどを行ってもよい。
【００４７】
本発明では、有機発光素子は単一の画素でも使用できるが、発光色別に複数列設けられたドットアレイとして使用するのが好ましい。各発光色は１ラインでも、複数のラインになっていてもよい。また、１画素のサイズは、１０〜５００μｍ、好ましくは５０〜３００μｍである。
【００４８】
本実施形態では、有機発光素子の１画素の大きさを９０μｍ×９０μｍとし、これを１０μｍ間隔で並べて有機発光素子アレイを構成した。また、各有機発光素子アレイの配置間隔を１００μｍとした。なお、有機発光素子の１画素の大きさは、プリントする画面の大きさや、前述した各種加工方法に依存する加工適性に応じて設定されるものである。
【００４９】
上記構成の電子スチルカメラでは、インスタントフイルム２８の排出送りにより副走査方向へのスキャニングを行うため、排出送り速度が変動すると露光量や露光密度が変動して濃度むらや色むらが発生する。実際のプリントにおいては、フイルム送り開始から終了までの間でフイルム送り速度が種々の要因で変化する。例えば、フイルムパックのフイルム出口に配置された遮光フラップを通過する際、現像液ポッドを破裂させる際、現像液の展開の際、余剰現像液を吸収するトラップ部の乗り越えの際などの機構的要因や、電池の消耗程度等によって、フイルム送り速度が変動する。これらの送り量変動に起因する濃度むらを無くすために、速度センサ５０と速度補正演算部５１とが設けてある（図１０参照）。
【００５０】
速度センサ５０は、インスタントフイルム２８に転がり接触するローラと、このローラに設けたパルスエンコーダと、信号処理回路とから構成されている。信号処理回路は、パルスの検出間隔を基準クロックに基づき測定することにより、インスタントフイルム２８の送り速度を検出する。この送り速度信号は、図１０に示すように、システムコントローラ５２を介して速度補正演算部５１に送られる。
【００５１】
速度補正演算部５１では、先ず、速度センサ５０からのインスタントフイルム２８の送り速度に基づき発光タイミングを制御するデータを作成し、速度変動にも関わらず画像データに対応した所望の濃度となるようにする。具体的には、発光タイミングを制御するデータを作成し、これをヘッドドライバ３９に送る。
【００５２】
例えば、図１１（Ａ）に示すように、インスタントフイルム２８の送り速度Ｖａが（Ｂ）に示す送り速度Ｖｂのように低下したとき（Ｖｂ＜Ｖａ）には、１ラインを記録するための時間（１プリントサイクル時間）ＰＴがＰＴａ＜ＰＴｂのように長くなる。したがって、これに応じて、画素濃度に対応する露光量としての発光時間を１プリントサイクル中に分散させるようにする。
【００５３】
１プリントサイクル時間ＰＴは、画素の濃度に応じて有機発光素子を発光させる総発光時間Ｔ１（＝Σｔ１）と、発光することのない総休止時間Ｔ２（＝Σｔ２）とから構成される。総発光時間Ｔ１は、１プリントサイクルで偏ることのないように、ほぼ同じ分割発光時間ｔ１に分けられ、これらが分割休止時間ｔ２で分散される。総発光時間Ｔ１は、記録する画素の最大濃度と最小濃度との間で変化する。
【００５４】
そして、休止間隔ｔ２がフイルム送り速度の変動に伴い変化し、フイルム送り速度が低下すると、（Ｂ）に示すように分割休止時間ｔ２ｂ（＞ｔ２ａ）が大きくなる。また、逆にフイルム送り速度が高くなると、（Ａ）に示すように分割休止時間ｔ２ａが小さくなる。したがって、ヘッドドライバ３９を介して各有機発光素子が上記のような制御タイミングで発光されるため、速度変動に関わらず、記録される画素の長さや濃度が変動することがなくなる。
【００５５】
図１０に電子スチルカメラ１０の電気的構成の概略を示す。撮影レンズ１４の背後にＣＣＤイメージセンサ５５が位置しており、撮影レンズ１４のピント合わせによりＣＣＤイメージセンサ５５の光電面には被写体画像が結像される。ＣＣＤドライバ６０の駆動により、ＣＣＤイメージセンサ５５は光学的な被写体画像を電気的な撮像信号に変換して出力する。
【００５６】
ＣＣＤイメージセンサ５５の光電面にはＲ，Ｇ，Ｂの微小なマイクロカラーフィルタがマトリクス状に配列され、色ごとにシリアルに出力される撮像信号はアンプ６１で適当なレベルに増幅された後、Ａ／Ｄコンバータ６２によってデジタル変換される。なお、周知のようにＣＣＤドライバ６０の駆動及びＡ／Ｄコンバータ６２のサンプリングタイミングとの間には同期がとられている。
【００５７】
Ａ／Ｄコンバータ６２は撮像信号をデジタル変換して画像データを生成し、これを順次に画像データ処理回路６３に入力する。画像データ処理回路６３は、入力されてくる画像データに対してホワイトバランス調節、ガンマ補正などの信号処理を行う。画像データ処理回路６３は、さらに処理済みの画像データを基に、ＮＴＳＣ方式のコンポジット信号に対応した映像信号を生成し、これをＤ／Ａコンバータ６４，アンプ６５を経て映像信号用の出力端子６６に出力する。
【００５８】
したがって、出力端子６６に家庭用のテレビジョンを接続すれば、ＣＣＤイメージセンサ５５で撮像される連続的な画像を観察することができる。アンプ６５からの映像信号はＬＣＤドライバ６７にも入力される。ＬＣＤドライバ６７はＬＣＤパネル２１を駆動するから、ＬＣＤパネル２１には被写体画像が連続的に表示されるようになり、ＬＣＤパネル２１は電子ビューファインダとして利用される。
【００５９】
システムコントローラ５２は、上記画像データ処理回路６３を含め、この電子スチルカメラの電気的な作動を全体的に管理している。システムコントローラ５２はＩ／Ｏポート６８により操作パネル２２のキー操作入力部６９や外部接続端子群７０からの信号を監視し、入力信号に応じた信号処理を行う。
【００６０】
フラッシュメモリ７１は高速でアクセスが可能なＤＲＡＭ（Dynamic Random Access Memory）で構成され、画像データ処理回路６３から得られた画像データを１画面ごとに記憶し、例えば５０画面分の画像データを記憶できる記憶容量をもつ。装飾データメモリ７２には、被写体画像を取り囲む画面枠の形状や模様を様々な形態に変える装飾データが予め書き込まれている。
【００６１】
なお、この装飾データメモリ７２に、被写体画像の一部にキャラクタ，マーク，文字，メッセージなどを合成することができるようなデータを用意しておいてもよい。再生モード時には、フラッシュメモリ７１及び装飾データメモリ７２から読み出したデータを画像データ処理回路６３に転送することによって、これらの画像を合成してＬＣＤパネル２１に表示させることができる。
【００６２】
ヘッドドライバ３９は、システムコントローラ５２の指令によりマルチ発光ヘッド３１の各有機発光素子アレイ４３〜４５を駆動する。各有機発光素子アレイ４３〜４５には、さらにラインメモリ７４から画像データが送られるようになっており、この画像データは各有機発光素子アレイ４３〜４５を構成している有機発光素子の個々の発光時間の制御に用いられる。ＥＥＰＲＯＭ７５には、電子スチルカメラ１０を所定のシーケンスにしたがって作動させたときに、システムコントローラ５２によって参照される各種の調整データが予め格納されている。
【００６３】
これらの調整データは、電子スチルカメラ１０の組み立て完了後の検査工程で一台ごとに調節される。こうした調整データには、例えばプリントを行うときの色ごとの補正データなどがある。モータドライバ７６は、システムコントローラ５２の管理下で展開モータ３６の駆動制御を行う。
【００６４】
次に、図１２のフローチャートを参照しながら本実施形態の電子スチルカメラ１０の作用について説明する有機発光素子アレイを構成した。また、各有機発光素子アレイの配置間隔を１００μｍとした。なお、有機発光素子の１画素の大きさは、プリントする画面の大きさや、前述した各種加工方法に依存する加工適性に応じて設定されるものである。
【００６５】
上記構成の電子スチルカメラでは、インスタントフイルム２８の排出送りにより副走査方向へのスキャニングを行うため、排出送り速度が変動すると露光量や露光密度が変動して濃度むらや色むらが発生する。実際のプリントにおいては、ＬＣＤパネル２１に表示されていた被写体画像の画像データがフラッシュメモリ７１に書き込まれる。撮像モードで使用を繰り返すことにより、フラッシュメモリ７１には最大で５０画面分の静止画像に関する画像データを記憶させることができる。なお、フラッシュメモリ７１の記憶容量に応じて、記憶できる画面数を増減させることができる。
【００６６】
フラッシュメモリ７１で記憶可能な画面数の撮像を行った後であっても、適宜のコマの画像データを消去すれば新たな撮像で得た画像データを記憶させることができる。これらの処理は、操作パネル２２からのキー入力で行うことができ、また外部接続端子群７０の出力端子に他の記憶媒体を接続しておけば、外部記憶媒体に新たな撮像で得た画像データを記憶させたり、フラッシュメモリ７１から読み出した画像データを転送して記憶させることもできる。
【００６７】
再生モード下では、操作パネル２２からのキー入力により、フラッシュメモリ７１の中から任意の画像データを選択すれば、その画像データが画像データ処理回路６３，Ｄ／Ａコンバータ６４，アンプ６５を経てＬＣＤドライバ６７に供給され、ＬＣＤパネル２１に画像表示が行われる。また、操作パネル２２からのキー入力により、装飾フレームの選択操作が行われているときには、フラッシュメモリ７１から読み出された画像データのほかに、装飾データメモリ７２から読み出された装飾フレームデータも画像データ処理回路６３に転送され、ＬＣＤパネル２１には被写体画像のほかに装飾フレームも合成して表示される。
【００６８】
被写体画像の選択、そして必要に応じて装飾フレームの選択を行った後にプリントキーを操作すると、システムコントローラ５２はプリントを開始する。先ず、フラッシュメモリ７１にアクセスして、その時点でＬＣＤパネル２１に表示されている画像に関する画像データのうち、Ｒ，Ｇ、Ｂの各色に相当する画像データを順次に読み出し、これを各色毎のラインメモリ７４に転送する。
【００６９】
また、モータドライバ７６を介して展開モータ３６を回転させる。この展開モータ３６の回転により、クロー爪によるインスタントフイルム２８の送り出しが行われるとともに、展開ローラ３３が回転される。クロー爪で押し出されたインスタントフイルム２８の上端が一対の展開ローラ３３間に入り込み、以後は展開ローラ３３の回転によってインスタントフイルム２８が搬送され、同時にポッド２８ａが破れて現像処理液の展開が行われる。クロー爪は、その移動ストロークの終端まで移動すると元の位置に戻って停止する。
【００７０】
このように、インスタントフイルム２８は、先ずクロー爪による展開ローラ３３への送り出しと、この送り出し後の展開ローラ３３の回転による送り出しとにより、排出口３５から排出される。そして、この排出による送り出しに同期させて有機発光素子アレイ４３〜４５が駆動される。
【００７１】
また、速度センサ５０によりインスタントフイルム２８の送り速度が検知され、この送り速度信号に基づき速度補正演算部５１は有機発光素子アレイ４３〜４５の発光時間制御データを速度変化に応じて求め、これをヘッドドライバ３９に送る。ヘッドドライバ３９は、補正された発光時間制御データに基づき有機発光素子アレイ４３〜４５を駆動する。
【００７２】
例えば、速度が低下するとこれに対応して、図１１（Ｂ）に示すように、分割発光時間ｔ１の間隔である分割休止時間ｔ２ｂが長くされる。また、速度が速まるとこれに対応して、（Ａ）に示すように、分割休止時間ｔ２ａが短くされる。したがって、速度変動が発生しても、１ライン当たりの露光量及び露光密度はほぼ常に一定したものとなり、濃度むらや色むらの発生が抑えられる。以下、同じようにして、インスタントフイルム２８の送りに同期して、各ラインの各色画像データが読みだされ、フルカラー画像が１回のインスタントフイルムの送りで露光される。
【００７３】
展開ローラ３３で搬送されたインスタントフイルム２８は、カメラボディ１１の排出口３５から排出される。１分〜数分経過すると、被写体画像がポジ画像として受像シートに定着され、プリントキーを操作した時点でＬＣＤパネル２１に表示されていた被写体画像をハードコピーとして得ることができる。もちろん、装飾フレームが選択されている場合には、装飾フレームで囲まれた内部に被写体画像がプリントされることになる。
【００７４】
上記のように、インスタントフイルム２８を記録媒体として利用し、光プリンタで画像のハードコピーが作成できるようにすると、サーマルプリンタのように熱エネルギーを要せずに低電力でカラープリントを行うことが可能となり、携帯可能なカメラボディ１１に収容できる程度の電源電池でも充分に実用できる。したがって、撮像したその場で簡単に画像のハードコピーが得られるようになる。また、外部接続端子から画像データを入力してこれをプリントすることも可能であるから、同時に携帯型のプリンタとしても利用することができる。
【００７５】
しかも、有機発光素子が非常に薄いフイルム状に形成され、厚みを要する回路基板を用いることがないので、微小ＬＥＤ発光体からなる従来の発光素子アレイに比較して、全体の厚さを薄くすることができる。また、ＬＣＤや蛍光表示管のように分光のための色フィルターを設ける必要もないので、これを内蔵する電子スチルカメラの小型化、特に薄型化に寄与することができる。
【００７６】
また、有機発光素子は、発光面の全面において光量が均一になるので、これを並べて構成される有機発光素子アレイの全域において光量分布が一定し、画面全域にわたって色むらのない良好な画像形成が可能となる。さらに、有機発光素子は、発色を始めるまでの速度が微小ＬＣＤに比較して圧倒的に速いので、プリント速度を速くすることが可能である。
【００７７】
なお、上記実施形態では、各色のセルフォックレンズ４２ａ〜４２ｃを傾斜して配置して微小レンズアレイ４２を構成し、これを用いて１ラインに合焦させるようにしたが、この代わりに、図１３に示すように、各色のセルフォックレンズ９０ａ〜９０ｃを平面上に並べてなるレンズアレイ９０を用いて、各色毎の３ラインとして感光面に合焦させてもよい。この実施形態では、各記録ラインに対応する画像データを各有機発光素子アレイに送り、色ずれのないようにフルカラー画像を記録する。なお、図中の符号９１は有機発光素子アレイユニットを、また符号９２，９３はミラーを示している。
【００７８】
また、有機発光素子アレイユニット４１，９１における各画素毎の露光量の制御は、発光時間の制御の外に、発光量を変化させて行ってもよく、更には、発光量と発光時間との組み合わせで制御してもよい。
【００７９】
また、上記実施形態では、インスタントフイルム２８の排出速度の検出を転接ローラを用いて検出しているが、その他の速度検出方法を用いて排出速度のむらを検出してもよい。例えば図１４に示すように、インスタントフイルム９７に、微小な一定ピッチでバー９６ａを配置した速度検出用トラック９６を記録しておき、各バー９６ａの検出タイミングから排出速度を求めてもよい。この場合には、感光面に露光を与えることがないように、例えば投光器９８として赤外線発光器を用い、これの反射光を赤外線受光器９９により検出する。そして、この検出信号に基づき信号処理回路１００により、各バー９６ａの検出タイミングからフイルム送り速度を求める。
【００８０】
なお、速度検出用トラック９６に用いるマークはバー９６ａに限定されることなく、その他のマークを用いてもよい。また、インスタントフイルムに磁気テープ層を形成し、これに磁気的マークを記録しておき、これを磁気記録ヘッドで読み取ることにより、送り速度を検出してもよい。
【００８１】
上記実施形態では、クロー爪及び展開ローラ３３によってインスタントフイルム２８の排出時にフルカラー画像を記録したが、展開ローラ３３による排出のみを用いて、フルカラー画像を記録してもよい。この場合には、展開ローラ３３にくわえ込まれた後に、マルチ発光ヘッドを駆動して、フルカラー画像を記録する。そして、展開された現像液の影響を受けることがない範囲で有機発光素子アレイユニットを展開ローラ３３の近くに配置し、クロー爪による排出時には記録を開始することなく、展開ローラ３３による排出時にフルカラー画像の記録を開始する。
【００８２】
また、上記実施形態では、マルチ発光ヘッドを固定して設け、インスタントフイルムの搬送中に３色の画像が同時に露光されるようにしたが、マルチ発光ヘッドを副走査方向に移動自在に設け、インスタントフイルム上を一定速度で移動させながら画像を露光するようにしてもよい。また、この場合、複数色の画像を同時に露光する他に、マルチ発光ヘッドを露光する色の数と同じ回数だけ移動させて、１色ずつ画像を露光するようにしてもよい。これらの方法によれば、前述したフイルム送り速度を変動させる機構的要因が排除され、インスタントフイルムとマルチ発光ヘッドとの相対速度が安定して、濃度むらの発生をより確実に抑えることができる。
【００８３】
上記実施形態は、静止画像を撮像する電子スチルカメラに本発明のプリンタ装置を内蔵させたものであるが、本発明のプリンタ装置は、動画像を撮像するデジタルビデオカメラに内蔵させてもよい。この場合には、動画像の中からプリント対象画像を選択して、これをハードコピーするとよい。また、電子スチルカメラにプリンタを内蔵させたが、これは電子スチルカメラに着脱自在に取り付けてもよい。
【００８４】
上記実施形態では、カメラに内蔵されたプリンタに本発明を実施したが、プリンタ単体に対しても本発明を適用することができる。この場合においても、プリンタの小型化、特に薄型化を図ることができ、携帯に好適なプリンタを構成することができる。
【００８５】
上記実施形態は、インスタントフイルムを使用したものであるが、これ以外の感光性プリントペーパー、もしくは感光性フイルムを使用する機器を、本発明の有機発光素子を用いて構成することもできる。
【００８６】
また、図１５に示すように、本発明のマルチ発光ヘッド３１を、撮影レンズ１０１を備えた通常のインスタントカメラ１０２のフイルムパック１０３と展開ローラ１０４との間に配置して、上記のようにフイルムの送り出しの際にフイルム送りに同期させてデジタルプリントを行うようにしてもよい。この場合にも、フイルムの送り速度の変動を検出する速度センサ１０５を設け、この速度センサ１０５に基づき発光タイミングを制御し、速度変動による濃度むらなどの発生を抑える。この場合には、通常のインスタントカメラ１０２として撮影する外に、他の電子カメラ等で撮像した画像に基づきデジタルプリントが可能になる。更には、このデジタルプリント部を有するインスタントカメラ１０２に、被写体画像を撮像して撮像信号を出力するイメージセンサ、前記撮像信号をデジタル変換した画像データを記憶するメモリを有する電子撮像部を一体的又は分離可能に設けてもよい。
【００８７】
【発明の効果】
以上のように、本発明のプリンタ装置によれば、発光ヘッドとして、多数の有機発光素子を主走査方向に並べたマルチ発光ヘッドを用いたので、サーマルプリンタのように熱エネルギーを要せずに低電力でカラープリントを行うことが可能となる。しかも、有機発光素子は非常に薄いフイルム状に形成されるので、回路基板を必要とする微小ＬＥＤ発光体を用いた発光ヘッドに比較して、全体の厚さを薄く構成することができる。また、ＬＣＤや蛍光表示管のように分光のための色フィルターを設ける必要もないので、プリンタ全体の小型化、特に薄型化を図ることができる。したがって、このプリンタ装置をカメラに内蔵させることが可能となり、撮像したその場で簡単に画像のハードコピーを得ることができる。
【００８８】
また、有機発光素子は、発光面の全面において光量が均一になるので、これを並べて構成される有機発光素子アレイの全域において光量分布が一定し、画面全域にわたって色むらのない良好な画像形成が可能となる。さらに、有機発光素子は、発色，発光を始めるまでの速度が微小ＬＣＤに比較して圧倒的に速いので、プリント速度を速くすることができる。
【００８９】
また、有機発光素子は、光量を制御することができるので、発光ヘッドと感光材料との相対速度に応じて有機発光素子の発光量又は発光時間を調節することで、濃度むらや色むらの発生を抑え、色再現性の良好なハードコピーを得ることができる。
【図面の簡単な説明】
【図１】本発明のプリンタ装置を内蔵した電子スチルカメラの要部を示す縦断面図である。
【図２】図１の電子スチルカメラを前側から見た状態を示す斜視図である。
【図３】図１の電子スチルカメラを後側から見た状態を示す斜視図である。
【図４】カメラボディ内の各機構部のレイアウトを示す説明図である。
【図５】プリント部の概略を示す斜視図である。
【図６】マルチ発光ヘッドの構成を示す断面図である。
【図７】有機発光素子アレイの構成を示す説明図である。
【図８】有機発光素子の構成の一例を示す説明図である。
【図９】有機発光素子の層構成を示す説明図であり、（Ａ）はＲ光領域用、（Ｂ）はＧ光領域用、（Ｃ）はＢ光領域用の有機発光素子を示す。
【図１０】電子スチルカメラの電気的構成を示すブロック図である。
【図１１】インスタントフイルムの送り速度の変動による有機発光素子アレイの発光タイミングを示す説明図である。
【図１２】電子スチルカメラの処理の流れを示すフローチャートである。
【図１３】マルチ発光ヘッドの他の構成例を示す縦断面図である。
【図１４】速度検出用トラックを用いて速度変動を検出する他の実施形態の要部を示す概略図である。
【図１５】インスタントカメラにプリント部を配置した他の実施形態を示す要部の縦断面図である。
【符号の説明】
１０  電子スチルカメラ
１１  カメラボディ
１４  撮影レンズ
１５  撮像部
１７  シャッタボタン
２５  フイルムパック
２８，９７  インスタントフイルム
３０  プリンタ部
３１  マルチ発光ヘッド
３２  送り出し部
３３，１０４  展開ローラ
３５  フイルム排出口
４１，９１  有機発光素子アレイユニット
４２  微小レンズアレイ
５０，１０５  速度センサ
５１  発光時間補正部
９６  速度検出用トラック
９６ａ  バー
【図１】
0003818564.tif 000002
【図２】
0003818564.tif 000003
【図３】
0003818564.tif 000004
【図４】
0003818564.tif 000005
【図５】
0003818564.tif 000006
【図６】
0003818564.tif 000007
【図７】
0003818564.tif 000008
【図８】
0003818564.tif 000009
【図９】
0003818564.tif 000010
【図１０】
0003818564.tif 000011
【図１１】
0003818564.tif 000012
【図１２】
0003818564.tif 000013
【図１３】
0003818564.tif 000014
【図１４】
0003818564.tif 000015
【図１５】
0003818564.tif 000016